(57)【要約】【課題】発注希望側企業では新製品量産迄の過渡期の生産、トラブル発生による急な作業発生等。受注希望側企業では作業予定が急に中止になったり、市場拡大の見通しが外れて場所や人員に余剰が出たり、季節により仕事量が変動する場合等々に際し、大きな経費を掛けず速やかに新規取引先を見つけるマッチングが可能となるシステムを提供する。【解決手段】受注希望企業側が作業場所・設備・作業スペース・作業者数・資格・免許等開示可能な情報と工程が空いている時期又は空く見込み時期を登録する。一方発注希望企業側も依頼内容・時期・予算等各種条件を登録する。これらの登録情報の中から受注希望企業が発注希望企業を探したり、逆に発注希望企業が受注希望企業を探すが、すでに発注の意思・納期・予算等を表明し、受注したい意志と能力・工程空き情報を公開しており、お互いに探す手間が大幅に短縮されることになる。【選択図】図２
2019061635.tif 000002
【特許請求の範囲】
【請求項１】
本発明は発注希望企業が自社の端末ＰＣから企業名・連絡先・依頼内容・依頼時期・予算・設備・環境条件・必要資格などをインターネットを通じてサーバーに登録し、一方受注希望企業も自社の企業名・連絡先・所有設備・作業環境・作業者数・所有資格・免許・得意とする業界業務等に加えて工程が空いている時期又は空く予定時期等を自社のＰＣからサーバーに登録することで、サーバーでは発注希望企業からの登録情報と受注希望企業からの登録情報をマッチングし、マッチング後の結果を、発注希望企業側には受注希望企業の情報を、受注希望企業には発注希望企業の情報をそれぞれの端末ＰＣに送信するが、マッチング後の結果情報には発注希望側及び受注希望側条件に対してどの程度マッチしているかをマッチング度○○％として表示することでコンタクトするべき優先順位がわかるので効果的に求める相手先を見つけることが出来る為、受注したい企業は受注したい意志・能力だけでなく工程の空き時期を表明しており、逆に発注したい企業は発注したい意志と時期・条件を表明しているのでお互いに探す手間が大幅に短縮されることが可能となることを特徴とする工場の工程空き情報とスポット作業の依頼先を探す企業とのマッチングの為のシステム。
【発明の詳細な説明】
【技術分野】
【０００１】  本発明は、主に製品を製造又は販売する企業などが季節的・一時的に作る製品の製造受託企業を探したい時などに引き受け企業を探しやすくするシステムであり、また主に製造を受託可能な企業側からは、急遽工程に穴が開く見通しになったり、稼働率の高い時期と低い時期があって悩んでいる企業が年間を通じて稼働率アップを図りたいような場合に特別な広告や営業活動をすることなく発注希望先企業を探しやすくする工場の工程空き情報とスポット作業の依頼先を探す企業とのマッチングの為のシステムに関するものである。
【背景技術】
【０００２】  先行技術として、受託希望企業が企業名・住所・人材とその技術レベル等登録し、発注希望企業側が案件名・概要・予算などを書き込んで受託希望企業に応募依頼メールを送信するという方式がある。（文献１）。
また企業が自社の得意とする事業と得意でない事業とを登録することで、不得意分野の事業を補完できる企業を検索できるというものがある。（文献２）。
また受注したい企業が自社の得意とする事業を登録し、それに興味を持った発注側企業がその企業の詳しい情報を欲しい場合、自社の会社名・役職・業種・業務・年齢・性別・勤続年数等を受注側企業に通知すると間違いなく在籍していることを確認した上で受注側企業の詳細情報が発注側企業に知らされるという方式がある。（文献３）。
また受注希望企業が自社の属する業界・業種と製品名・組立加工名、取得している資格認証・免許、設備リスト、技能士・資格者リスト、取引実績、希望する取引条件等を登録すると、発注を希望する企業が何らかのキーワードを入力することで該当する企業の検索が可能となるという方式がある。（文献４）。
【先行技術文献】
【特許文献】
【０００３】
【特許文献１】特開２００５−１７４０６４号公報
【特許文献２】特開２００３−０４４７０１号公報
【特許文献３】特開２００２−１６９９８６号公報
【特許文献４】特開２００２−０２４５７４号公報
【発明の概要】
【発明が解決しようとする課題】
【０００４】  例えば発注側の立場からは新商品宣伝のために一時的に作るノベルテイーグッズや販促宣伝期間中のみの展示用品、季節限定商品、地域限定商品、トラブル発生による急な作業発生、新製品が大量生産可能な状態になるまでの経過期間だけの一時的な生産、生産数が急激に増えて社内の体制が整うまでのつなぎ生産等々は小ロットであったり数量が大きく変動することが多い為自社内では作業スペースや人員確保などの作業体制を整えにくい。
受注側の立場からは、作業予定だった案件が急にキャンセルになり工程に穴が開く見通しになったり、市場拡大を見越して場所や人員を準備したが見込み通りに受注が増えないとか、季節商品の仕事が多く作業者の手が空いている時期が有るなどの悩みを抱える工場が特別な広告費・営業費を掛けずに年間を通じた稼働率のアップが企業存続の為の重大な問題となる。
このような事態の場合、発注希望企業は受注してくれそうな会社を探す為、また受注希望企業は発注してもらえそうな会社を探す為、インターネットの従来の検索ソフトに何通りもの検索ワードを入れては表示された企業に片っ端からメール又は電話をかけ続ける。発注側の条件、或いは受注側の条件を伝えながら実に何十社でも連絡を取り続ける。しかし殆どは業務的には一致しても発注側の希望する時期と受注側の空き状況が一致することは難しい為、最後は徒労に終わることが殆どである。
文献１では、発注希望企業が自社が発注しようとする案件の内容と必要な技術レベル・予算・完成希望時期を登録して検索を指示すると、既に登録済みの受注希望企業側の人員構成と自己評価による技術レベル等が登録された中から、技術レベルなどの条件が近い企業の登録があればその件数だけ検索される仕組みである。その後発注希望企業が検索された企業に対して応募を促すメールを入れることで応募企業がたまたまあってその後の条件の詰めが順調にいけばマッチングは成功する。しかしマッチングが成功する為には受注企業側に技術的に遂行能力があったとしても発注企業側が希望する時期に受注希望企業側の工程が空いているかどうかであり、その条件のマッチングが無ければ絶対にマッチングは成功しないものである。例えば技術的能力がある企業が何千社か検索されたとしてもそれらすべてに応募要請メールを送ったとして発注希望企業が望む時期に人員や工程が空いている企業が存在する保証はない。能力がある会社を探すだけなら世の中にはたくさん存在するのであり、希望企業は受注可能企業が見つかるまでメール送信し続けなければならずこの点がこの文献では解決されていない。
文献２では、企業が自社の得意分野と不得意分野を記入して公開し、補完可能な企業とのマッチングをしようとするものであるが、自社の不得意分野を公開することは企業内情を外部に知らせることにもなりこのシステムを利用することは困難であり不適である。
文献３では、発注側は受注希望企業の得意事業はわかるものの、工程の空き情報はわからないので解決できない。
文献４では、受注希望企業についての設備や技能者のレベルなど詳細にわかるものの、行程の空き情報は不明であり、発注希望企業は手当たり次第に探し続けなければならないので解決できない。
本発明は以上の問題を解決するものである。
【課題を解決するための手段】
【０００５】  本発明は発注希望企業が自社の端末ＰＣから企業名・連絡先・依頼内容・依頼時期・予算・設備・環境条件・必要資格などをインターネットを通じてサーバーに登録する。一方受注希望企業も自社の企業名・連絡先・所有設備・作業環境・作業者数・所有資格・免許・得意とする業界業務等に加えて工程が空いている時期又は空く予定時期等を自社のＰＣからサーバーに登録する。
サーバーでは発注希望企業からの登録情報と受注希望企業からの登録情報をマッチングし、マッチング後の結果を、発注希望企業側には受注希望企業の情報を、受注希望企業には発注希望企業の情報をそれぞれの端末ＰＣに送信する。なお、マッチング後の結果情報には発注希望側及び受注希望側条件に対してどの程度マッチしているかをマッチング度○○％として表示することでコンタクトするべき優先順位がわかるので効果的に求める相手先を見つけることが出来る。
この結果、受注したい企業は受注したい意志と時期を表明しており、逆に発注したい企業は発注したい意志と時期・条件を表明しているのでお互いに探す手間が大幅に短縮されることになる。
以上を特徴とする工場の工程空き情報とスポット作業の依頼先を探す企業とのマッチングの為のシステムである。
【発明の効果】
【０００６】  この発明により、例えば作業発注希望側は新商品宣伝のために一時的に作るノベルテイーグッズや季節限定商品、地域限定商品、トラブル発生による急な作業発生、新製品が大量生産可能な状態になるまでの経過期間の一時的な生産、生産数が急激に増えて社内の体制が整うまでのつなぎ生産など、これらの作業は一時的であったりロット数量が変動することが多い為、自社内では工程や人員確保など作業体制が整えにくい。そこで製品を製造又は販売する企業が受託企業を探したい時、インターネットでキーワードを入力し検索された企業に対してメール又は電話で順番に片っ端から連絡するが受託の体制や意志があるかどうかの基本的な前提条件が合致するところが見つかるまで何十社でも連絡を取り続けるが受注できる体制があって意志があるところにたどり着くのは容易ではない。かなりの時間と労力を費やして最後は徒労に終わることが多い。
また受注希望企業側は、例えば作業予定だった案件が急にキャンセルになり工程に穴が開く見通しになったり、市場拡大を見越して場所や人員を準備したが見込み通りに受注が増えないとか、季節商品の仕事が多く作業者の手が空いている時期が有るなど様々な状況・事情が発生する。工場では年間を通じてコンスタントな稼働率を確保しなければ重大な経営問題にも発展する可能性がある。発注を希望する企業を容易に速やかに探せることが会社を救うことにもつながる。
このような時、受注したい企業は受注したい意志と時期を表明して登録しており、発注したい企業は発注したい意志と時期・条件を表明して登録したマッチングシステムがあれば発注希望企業側・受注希望企業側とも無駄なコンタクトに費やす時間が大幅に短縮されタイムリーに取引先を探すことが出来るシステムである。
【図面の簡単な説明】
【０００７】
【図１】本発明のシステム全体像を示すイメージ図
【図２】発注希望企業側及び受注希望企業側が情報登録するサーバー内の大まかな機能を示すイメージ図
【図３】発注希望企業側が入力し登録する内容を示すイメージ図
【図４】受注希望企業側が入力し登録する工程空き情報を含む登録内容を示すイメージ図
【図５】発注希望企業へのマッチング結果受信表示画面
【図６】受注希望企業へのマッチング結果受信表示画面
【発明を実施するための形態】
【０００８】  本発明は発注希望企業が自社の端末ＰＣ（２）から企業名・連絡先・依頼内容・依頼時期・予算・設備・環境条件・必要資格など（８）をインターネットを通じてサーバーに登録（６）する。一方受注希望企業も自社の企業名・連絡先・所有設備・作業環境・作業者数・所有資格・免許・得意とする業界業務等に加えて工程が空いている時期又は空く予定時期等（９）を自社のＰＣ（３）からサーバーに登録（７）する。
サーバー（４）では発注希望企業からの登録情報（８）と受注希望企業からの登録情報（９）をマッチング（５）し、マッチング後の結果を、発注希望企業側には受注希望企業の情報（１０）を、受注希望企業には発注希望企業の情報（１１）をそれぞれの端末ＰＣに送信する。なお、マッチング後の結果情報には発注希望側及び受注希望側条件に対してどの程度マッチしているかをマッチング度○○％として表示することでコンタクトするべき優先順位がわかるので効果的に求める相手先を見つけることが出来る。
受注したい企業は受注したい意志と能力だけでなく可能な時期を表明（９）しており、逆に発注したい企業も発注したい意志だけでなく希望する時期・条件を表明（８）しているのでお互いに探す手間が大幅に短縮されることになる。
以上を特徴とする工場の工程空き情報とスポット作業の依頼先を探す企業とのマッチングの為のシステムである。
本発明は以上のようなシステムであるが、運用にあたっては、
１）閲覧者からは登録企業名・担当者名・連絡番号等の詳細は会員登録者に対してのみ見える等の処置を施すことで情報の無駄な拡散を防止できる。
２）受注希望企業、或いは発注希望企業として登録していない企業でも会員として登録していれば一定レベルの情報を閲覧することが出来る。
３）マッチング結果の受信により表示された相手先と連絡を取る方法としては次のような案が考えられる。
ア、年間有料会員の場合は自由に直接連絡可能とするが、サーバー管理会社或いはその委託を受けた企業が窓口になることも可能とする。
イ、無料会員の場合はサーバー管理会社又はその委託を受けた企業が発注希望企業と受注希望企業の間でマッチング成功に向けて商社としての機能を果たすことを可能とする。
企業によっては新規取引口座の開設を制限するところも多い。
一度このシステムを利用して事業を発注或いは受注した企業が将来別の案件で別のマッチング先との間で事業を発注又は受注する場合に、以前と同じサーバー管理会社或いはその委託を受けた企業が再び窓口になることで新規口座開設の手間を掛けずに進めることができるので双方の担当者とも手続き面で進めやすくなる。
４）このビジネスモデルの継続については一度接触した企業同士に再利用してもらえる為のアイデアを付加する。
例えば企業と雖も発注・受注の意思決定の大部分は個人であるためこのシステムを利用すればするほど企業だけではなく個人にもメリットが発生する仕組みを考えることで再利用及び継続利用の動機が生じる。
５）このシステムは企業間だけで利用されるものではなく、一定の能力を持った個人にも利用できると考える。
６）登録は発注希望企業側及び受注希望企業側共、業種・分野を選択して登録可能とすることでよりピンポイントにマッチング相手に辿り着くことが出来るようになる。
【符号の説明】
【０００９】１  インターネット網
２  発注希望企業の端末機
３  受注希望企業の端末機
４  サーバー
５  サーバー内の主な機能
６  発注希望企業の発注条件登録
７  受注希望企業の受注条件登録
８  発注希望企業の依頼予定内容・条件登録画面
９  受注希望企業の工程空き予定情報登録画面
１０  発注希望企業へのマッチング結果受信表示画面
１１  受注希望企業へのマッチング結果受信表示画面
【図１】
2019061635.tif 000003
【図２】
2019061635.tif 000004
【図３】
2019061635.tif 000005
【図４】
2019061635.tif 000006
【図５】
2019061635.tif 000007
【図６】
2019061635.tif 000008